(57)【要約】【課題】開閉可能なシート排出トレイが閉じられた状態でそのシート排出トレイへの排出を行うジョブが入力された場合にシート排出トレイを自動的に開放可能なシート排出装置及びそれを備えた画像形成装置を提供する。【解決手段】シート排出装置は、排出ローラー対と、装置本体の側面に沿って収納される第１の位置と、第１の位置から下方に回動して装置本体の側面から突出した第２の位置と、に選択配置されるシート排出トレイと、を備える。シート排出トレイは、排出ローラー対を構成する排出ローラーまたは排出コロの回転軸に係合することによりシート排出トレイを第１の位置に保持するフック部材を有する。シート排出トレイが第１の位置に配置された状態で排出ローラー対を回転させることにより、回転軸に固定された係合解除部材がフック部材と回転軸との係合を解除してシート排出トレイが第２の位置に移動する。【選択図】図２
2018150151.tif 000002
【特許請求の範囲】
【請求項１】
排出ローラーと、該排出ローラーに従動して回転する排出コロとで構成され、装置本体の側面からシートを排出する排出ローラー対と、
前記装置本体の側面に沿って収納される第１の位置と、該第１の位置から下方に回動して前記装置本体の側面から突出し、前記排出ローラー対によって排出されるシートを積載可能な第２の位置と、に選択配置されるシート排出トレイと、
を備えたシート排出装置において、
前記シート排出トレイは、前記排出ローラーまたは前記排出コロの回転軸に係合することにより前記シート排出トレイを前記第１の位置に保持するフック部材を有し、
前記回転軸には、前記回転軸の回転により前記フック部材を前記回転軸から離間する方向に押圧する係合解除部材が固定されており、
前記シート排出トレイが前記第１の位置に配置された状態で前記排出ローラー対を回転させることにより、前記係合解除部材が前記フック部材を前記フック部材と前記回転軸との係合を解除して前記シート排出トレイが前記第２の位置に移動することを特徴とするシート排出装置。
【請求項２】
前記係合解除部材は、前記回転軸に固定され、回転中心から外周面までの距離が連続的に変化する偏芯カムであることを特徴とする請求項１に記載のシート排出装置。
【請求項３】
前記装置本体の側面に設けられ、前記シート排出トレイの前記第２の位置への移動時の衝撃を緩衝するダンパー部材を有し、
前記シート排出トレイは、前記シート排出トレイの下端部に設けられ前記装置本体の側面に支持される支点部と、前記支点部の近傍に設けられ前記シート排出トレイの開放時に前記ダンパー部材と当接する押圧突起と、を有することを特徴とする請求項１又は請求項２に記載のシート排出装置。
【請求項４】
前記支点部は支軸であり、前記支軸は、長孔状の軸受孔によって回転可能、且つ上下方向に摺動可能に支持されており、
前記ダンパー部材は圧縮バネであり、
前記シート排出トレイが前記第２の位置にあるとき前記押圧突起が前記圧縮バネの上端に当接し、前記シート排出トレイ上のシートの積載量に応じて前記圧縮バネが弾性変形することで前記シート排出トレイが上下方向に移動することを特徴とする請求項３に記載のシート排出装置。
【請求項５】
シートに画像を形成する画像形成部と、
該画像形成部で画像が形成されたシートを排出する請求項１乃至請求項４のいずれかに記載のシート排出装置と、
を備えた画像形成装置。
【発明の詳細な説明】
【技術分野】
【０００１】
本発明は、複写機、プリンター等の画像形成装置に搭載され、シートを排出するシート排出装置、及びそれを備えた画像形成装置に関する。
【背景技術】
【０００２】
複写機、レーザープリンター等の画像形成装置には、電子写真プロセスにより所望の画像が形成された用紙、或いは、原稿搬送装置により原稿読取部に搬送され、原稿画像の読み取りが行われた後の原稿を排出するため、用紙排出トレイが設けられている。このような用紙排出トレイとして、画像形成装置の本体上面や胴内排出空間に設けられた排出トレイとは別に、画像形成装置の本体側面に開閉可能に設けられた補助排出トレイを備えたものが知られている。
【０００３】
例えば、特許文献１には、画像形成装置の本体側面に設けられた原稿排出口の下方に可倒式の記録紙カバーを開閉自在に取り付け、原稿排出口から排出される原稿を受け取る原稿トレイを、記録紙カバーの外面に記録紙カバーと同軸回りに開閉自在に取り付けた原稿トレイの取り付け構造が開示されている。
【先行技術文献】
【特許文献】
【０００４】
【特許文献１】実開平６−５４３５１号公報
【発明の概要】
【発明が解決しようとする課題】
【０００５】
特許文献１のように開閉可能な補助排出トレイが設けられた画像形成装置では、補助排出トレイの開閉を手動で行う必要があった。そのため、補助排出トレイへの排出を行う印字命令が入力された際に補助排出トレイが閉じた状態であると、補助排出トレイの手前で紙詰まりが発生したり、ユーザーの意図しない別のトレイへ用紙が排出されたりするという問題点があった。
【０００６】
本発明は、上記問題点に鑑み、開閉可能なシート排出トレイが閉じられた状態でそのシート排出トレイへの排出を行うジョブが入力された場合にシート排出トレイを自動的に開放可能なシート排出装置及びそれを備えた画像形成装置を提供することを目的とする。
【課題を解決するための手段】
【０００７】
上記目的を達成するために本発明は、排出ローラー対と、シート排出トレイと、を備えたシート排出装置である。排出ローラー対は、排出ローラーと、排出ローラーに従動して回転する排出コロとで構成され、装置本体の側面からシートを排出する。シート排出トレイは、装置本体の側面に沿って収納される第１の位置と、第１の位置から下方に回動して装置本体の側面から突出し、排出ローラー対によって排出されるシートを積載可能な第２の位置と、に選択配置される。シート排出トレイは、排出ローラーまたは排出コロの回転軸に係合することによりシート排出トレイを第１の位置に保持するフック部材を有する。回転軸には、回転軸の回転によりフック部材を回転軸から離間する方向に押圧する係合解除部材が固定されている。シート排出トレイが第１の位置に配置された状態で排出ローラー対を回転させることにより、係合解除部材がフック部材と回転軸との係合を解除してシート排出トレイが第２の位置に移動する。
【発明の効果】
【０００８】
本発明の第１の構成によれば、シート排出トレイが第１の位置にある状態でシート排出トレイへの排出動作を伴う印字命令が入力されると、排出ローラー対の回転によってシート排出トレイが自動的に第２の位置に移動する。従って、シート排出トレイが第１の位置に配置された状態でシート排出トレイへの排出を伴う印字命令が入力された場合でもシートのジャムが発生したり、ユーザーの意図しない別のトレイへシートが排出されたりする不具合を確実に防止することができる。
【図面の簡単な説明】
【０００９】
【図１】本発明の用紙排出装置３０が搭載された画像形成装置１００の概略断面図
【図２】本発明の一実施形態に係る用紙排出装置３０の側面断面図であって、補助排出トレイ２５が閉鎖位置にある状態を示す図
【図３】図２における補助排出トレイ２５の支軸２５ａ付近の部分拡大図
【図４】図２の状態から補助排出トレイ２５への排出動作か開始されたときの用紙排出装置３０の側面断面図
【図５】図４における補助排出トレイ２５の支軸２５ａ付近の部分拡大図
【図６】本実施形態の用紙排出装置３０の側面断面図であって、補助排出トレイ２５が開放位置にある状態を示す図
【図７】図６における補助排出トレイ２５の支軸２５ａ付近の部分拡大図
【図８】本実施形態の用紙排出装置３０の側面断面図であって、補助排出トレイ２５上に用紙Ｓが積載された状態を示す図
【図９】図８における補助排出トレイ２５の支軸２５ａ付近の部分拡大図
【発明を実施するための形態】
【００１０】
以下、図面を参照しながら本発明の実施形態について詳細に説明する。図１は、本発明の用紙排出装置３０が搭載された画像形成装置１００の内部構成を示す概略図である。図１に示すように、画像形成装置１００は、いわゆる胴内排紙型のデジタル複合機であって、大まかには、本体ハウジング２０と、その上部に配設された上ハウジング２１とで構成されている。
【００１１】
本体ハウジング２０は、下ハウジング２０ａと、その上方で図１の右側部に沿って位置し、上ハウジング２１に連結される連結ハウジング２０ｂと、から構成されている。下ハウジング２０ａ内には、下部に配設された給紙部４と、給紙部４の側方及び上方に配設された用紙搬送部５と、給紙部４の上方に配設された画像形成部６と、画像形成部６の用紙搬送方向下流側（図１の右側）に配設された定着部７とが備えられている。連結ハウジング２０ｂには、定着後の用紙Ｓを搬送して本体ハウジング２０から排出するための第１排出ローラー対１８、第２排出ローラー対１９が設けられている。
【００１２】
画像形成部６は、電子写真プロセスによって、用紙Ｓ上に所定のトナー像を形成するものであり、回転可能に軸支された像担持体である感光体ドラム１０と、この感光体ドラム１０の周囲にその回転方向に沿って配設される帯電装置１１、露光装置１２、現像装置１３、転写装置１４、クリーニング装置１５、及び不図示の除電装置を備えている。
【００１３】
上ハウジング２１内には、画像読取部８が設けられている。画像読取部８は、原稿の画像情報を読み取るものであり、原稿を１枚ずつ読み取らせる場合には、原稿搬送装置３を開いて上ハウジング２１の上面に設けられたコンタクトガラス上に原稿を載置する。また、原稿束を自動的に読み取らせる場合には、原稿束を、閉じた状態の原稿搬送装置３の給紙トレイ上に載置することにより、原稿束から原稿が１枚ずつ自動的に順次コンタクトガラス上に送り込まれる。
【００１４】
また、上ハウジング２１の前面側には、画像形成装置１００の状態、画像形成状況、印字部数等を表示するとともに、画像形成装置１００の各種設定を行う操作パネル５０が配置されている。さらに、本体ハウジング２０内には画像形成部６、画像読取部８、用紙排出装置３０等の動作を制御する制御部（ＣＰＵ）６０が配置されている。
【００１５】
以下、上記のように構成された画像形成装置１００の基本的な動作を説明する。先ず、図１の反時計回り方向に回転する感光体ドラム１０の表面が帯電装置１１によって一様に帯電される。そして、引き続き画像読取部８で読み取られた画像情報に基づいて露光装置１２からのビーム光が感光体ドラム１０の周面に照射され、これによって感光体ドラム１０の表面に静電潜像が形成される。この静電潜像に現像装置１３から現像剤としてのトナーが供給されることによりトナー像が形成される。
【００１６】
トナー像の形成と並行して、用紙Ｓが給紙部４から用紙搬送路５に送出され、レジストローラー対９で一旦停止する。そして、レジストローラー対９で停止した用紙Ｓは所定のタイミングでトナー像が形成された感光体ドラム１０に向けて搬送され、ここで転写ローラー等からなる転写装置１４により感光体ドラム１０の表面のトナー像が用紙Ｓに転写される。そして、トナー像が転写された用紙Ｓは感光体ドラム１０から分離され、定着部７に向けて搬送され、定着部７を通過することで加熱、加圧処理されてトナー像が定着される。
【００１７】
用紙Ｓへのトナー像の転写処理が完了した感光体ドラム１０は、クリーニング装置１５で外周面に残留している残留トナーが取り除かれた後、除電装置（不図示）で残留電荷を除去する除電処理が施され、その後、帯電装置１１により再び感光体ドラム１０の外周面に帯電処理が施され、以下同様にして画像形成が行われる。
【００１８】
定着部７を通過した用紙Ｓは、そのまま垂直上方に向かう垂直搬送路１６に沿って連結ハウジング２０ｂ内に搬送される。垂直搬送路１６の上部は連結ハウジング２０ｂ内で左方及び上方に向かって２つの搬送路に分岐しており、分岐部に配置された切り替えガイド１７によって、左方の搬送路に案内された用紙Ｓは、第１排出ローラー対１８から左方に排出され、胴内排出空間２２の底面に形成された用紙排出トレイ２４上に積載される。一方、切り替えガイド１７によって上方の搬送路に案内された用紙Ｓは、第２排出ローラー対１９から右方に排出され、補助排出トレイ２５上に積載される。第２排出ローラー対１９及び補助排出トレイ２５は、本発明の用紙排出装置３０を構成する。
【００１９】
図２は、画像形成装置１００に搭載される用紙排出装置３０の側面断面図であり、図３は、図２における補助排出トレイ２５の支軸２５ａ付近の拡大図である。なお、図２では補助排出トレイ２５が閉鎖位置に配置された状態を示している。用紙排出装置３０は、補助排出トレイ２５と、補助排出トレイ２５に用紙を排出する第２排出ローラー対１９と、を有する。
【００２０】
補助排出トレイ２５は、ファクシミリ用紙や封筒、ハガキ、送り状等の特殊紙を排出するために用いられる。補助排出トレイ２５は、本体ハウジング２０の側面に沿って収納され、本体ハウジング２０の側面の一部を構成する閉鎖位置（第１の位置）と、閉鎖位置から下方に回動して本体ハウジング２０の側面から突出し、第２排出ローラー対１９によって排出される用紙Ｓを積載可能な開放位置（第２の位置）とに選択配置される。補助排出トレイ２５の下端部には開閉動作の支点となる支軸２５ａが設けられている。支軸２５ａは本体ハウジング２０側に設けられた軸受部３１の長孔状の軸受孔３１ａに回転可能、且つ摺動可能に支持されている。
【００２１】
第２排出ローラー対１９は、駆動モーター（図示せず）により正逆回転可能なゴム製の排出ローラー１９ａと、排出ローラー１９ａに従動して回転する樹脂製の排出コロ１９ｂとで構成されている。
【００２２】
補助排出トレイ２５には、補助排出トレイ２５を閉鎖位置に保持するフック部材３３が付設されている。フック部材３３は、支軸２５ａよりもやや上方の揺動軸３３ａを支点として補助排出トレイ２５に揺動可能に支持されている。フック部材３３が排出ローラー１９ａの回転軸３５に係合することで補助排出トレイ２５が閉鎖位置に保持される。揺動軸３３ａには捩りバネ３４が付設されており、フック部材３３は捩りバネ３４の付勢力によって回転軸３５に係合する方向（図３の反時計回り方向）に付勢されている。また、補助排出トレイ２５にはフック部材３３の反時計回り方向への回動を規制するストッパー３６が設けられている。
【００２３】
また、回転軸３５には偏芯カム３７が固定されている。偏芯カム３７は大径部３７ａと小径部３７ｂとを有し、回転中心から外周面までの距離が連続的に変化している。偏芯カム３７は、回転軸３５の軸方向（図３の紙面と垂直な方向）においてフック部材３３と重なる位置に配置されている。
【００２４】
補助排出トレイ２５の支軸２５ａの近傍には圧縮バネ３９が配置されている。圧縮バネ３９は、支軸２５ａよりも補助排出トレイ２５の開放位置への回動方向（図３の右側）にずれた位置に配置されている。圧縮バネ３９の下端部は、軸受部３１と一体形成されたバネ受け部４０に当接している。圧縮バネ３９の上端部には押圧ピン４１が設けられている。押圧ピン４１は、本体ハウジング２０側に上下方向に移動可能に支持されており、補助排出トレイ２５が閉鎖位置から開放位置へ回動したとき補助排出トレイ２５の重量によって下方に移動して圧縮バネ３９の上端部を押圧する。第２排出ローラー対１９、フック部材３３、偏芯カム３７および圧縮バネ３９は、それぞれ用紙幅方向（図３の紙面と垂直な方向）の両端に一対配置されている。
【００２５】
図４は、図２の状態から補助排出トレイ２５への排出動作が開始されたときの用紙排出装置３０の側面断面図であり、図５は、図４における補助排出トレイ２５の支軸２５ａ付近の拡大図である。
【００２６】
操作パネル５０（図１参照）から補助排出トレイ２５への排出動作を伴う印字命令が入力されると、制御部６０（図１参照）からの制御信号により排出ローラー１９ａの回転を開始する。排出ローラー１９ａの回転に伴い、排出ローラー１９ａの回転軸３５に固定された偏芯カム３７も同方向（図５の時計回り方向）に回転することにより、図５に示すように偏芯カム３７の大径部３７ａによってフック部材３３が捩りバネ３４の付勢力に抗して回転軸３５から離間する方向に押し上げられる。その結果、フック部材３３は揺動軸３３ａを支点として時計回り方向に回動し、フック部材３３と回転軸３５との係合が解除される。
【００２７】
これにより、フック部材３３によって閉鎖位置に保持されていた補助排出トレイ２５が捩りバネ３４の付勢力により外側（図４の右側）に倒れ、支軸２５ａを中心として下方向に回動する。以上のようにして、補助排出トレイ２５が図２に示した閉鎖位置から図６に示す開放位置に移動する。
【００２８】
本実施形態の構成によれば、補助排出トレイ２５が閉鎖位置にある状態で補助排出トレイ２５への排出動作を伴う印字命令が入力されると、排出ローラー１９ａの回転によって補助排出トレイ２５が自動的に開放位置に移動する。従って、補助排出トレイ２５を閉鎖位置に配置した状態で印字命令が入力された場合でも用紙Ｓのジャムが発生したり、補助排出トレイ２５が閉鎖位置にあることを検知する検知装置（図示せず）を備える構成において、検知装置からの検知信号を受信した制御部６０（図１参照）によってユーザーの意図しない別のトレイ（用紙排出トレイ２４）へ用紙Ｓが排出されたりするという不具合を確実に防止することができる。
【００２９】
また、補助排出トレイ２５への排出動作時に必然的に回転する排出ローラー１９ａを用いて補助排出トレイ２５を開放位置に移動させることができる。そのため、補助排出トレイ２５を開放させるための専用のソレノイドやモーターを設ける必要がなく、部品点数も増加せず制御経路も簡素化できる。
【００３０】
図７は、補助排出トレイ２５が開放位置に移動した状態（図６の状態）における補助排出トレイ２５の支軸２５ａ付近の部分拡大図である。図７に示すように、補助排出トレイ２５の下方向（開放位置）への回動に伴い、押圧ピン４１は支軸２５ａを中心とした円弧状の回動軌跡に沿って下方に移動する。一方、圧縮バネ３９は垂直方向に伸縮可能に配置されている。そして、補助排出トレイ２５が開放位置の近傍まで回動したとき押圧ピン４１が圧縮バネ３９に接触する。これにより、補助排出トレイ２５の重量を受けて下方に移動する押圧ピン４１が圧縮バネ３９の上端部を押圧するため、圧縮バネ３９はバネ受け部４０と押圧ピン４１とに挟まれて圧縮される。このとき、圧縮バネ３９の復元力（付勢力）が補助排出トレイ２５を開放する際のダンパーとして作用するため、補助排出トレイ２５が閉鎖位置から開放位置に移動する際の衝撃音や、衝撃による補助排出トレイ２５の破損を効果的に抑制することができる。
【００３１】
その後、給紙部４（図１参照）から用紙Ｓが送出され、画像読取部８（図１参照）で読み取られた画像情報に基づいて画像形成部６（図１参照）において用紙Ｓ上にトナー像が形成される。そして、用紙Ｓが定着部７（図１参照）を通過することで用紙Ｓ上にトナー像が定着された後、補助排出トレイ２５上に用紙Ｓが積載される。
【００３２】
開放位置に配置された補助排出トレイ２５上に用紙Ｓが積載されていない図６の状態では、図７に示すように押圧ピン４１は圧縮バネ３９の上端部に当接しており、圧縮バネ３９の付勢力によって補助排出トレイ２５は第２排出ローラー対１９から排出される用紙Ｓを円滑に積載可能な所定の高さに保持されている。このとき、補助排出トレイ２５の支軸２５ａは軸受孔３１ａの上部に位置している。
【００３３】
図８は、補助排出トレイ２５上に用紙Ｓが積載された状態を示す用紙排出装置３０の側面断面図であり、図９は、図８の状態における補助排出トレイ２５の支軸２５ａ付近の部分拡大図である。補助排出トレイ２５上に用紙Ｓが順次積載されていくと、用紙Ｓの重量によって押圧ピン４１から圧縮バネ３９に加わる押圧力が大きくなる。一方、開放位置に配置された補助排出トレイ２５に用紙Ｓの重量（押圧力）が作用してもそれ以上は回動しない。そのため、用紙Ｓの積載枚数が増加するにつれて圧縮バネ３９の圧縮量が増加し、補助排出トレイ２５が下方へ移動する。そして、図８に示すように補助排出トレイ２５上の用紙Ｓが満載状態となったとき、図９に示すように補助排出トレイ２５の支軸２５ａが軸受孔３１ａの下部に移動する。
【００３４】
上記のように用紙Ｓの積載枚数が増加するにつれて補助排出トレイ２５が下方に移動することにより、補助排出トレイ２５への用紙Ｓの積載可能枚数を増加させることができる。また、用紙Ｓの積載枚数に係わらず、第２排出ローラー対１９に対する補助排出トレイ２５上に積載された用紙Ｓの上面の高さが一定に保持されるため、第２排出ローラー対１９から排出される用紙Ｓが既に積載された用紙Ｓを押し出したり、排出される用紙Ｓの先端が排出方向上流側にカールして表裏反転した状態で積載されたりする不具合が抑制される。即ち、補助排出トレイ２５への用紙Ｓの積載性を向上させることができる。
【００３５】
フック部材３３と回転軸３５との係合が解除された状態では、フック部材３３は補助排出トレイ２５に設けられたストッパー３６（図３参照）に当接することにより補助排出トレイ２５に対して略垂直な姿勢に保持されている。補助排出トレイ２５を閉鎖位置に収納する場合は、図６の状態から補助排出トレイ２５を上方向（図６の反時計回り方向）に回動させていくと、フック部材３３の先端が偏芯カム３７に当接する。補助排出トレイ２５をさらに回動させると、フック部材３３は捩りバネ３４の付勢力に抗して時計回り方向に回動するとともに偏芯カム３７を乗り越え、再び回転軸３５に係合して図２に示す閉鎖位置に保持される。
【００３６】
なお、第２排出ローラー対１９が停止したときの偏芯カム３７の位相（回転角）は一定ではないため、偏芯カム３７の大径部３７ａが回転軸３５の上方に位置している場合もある。しかし、排出ローラー１９ａに駆動力が入力されていないときの回転軸３５の回転トルクは十分に小さいため、フック部材３３は偏芯カム３７を反時計回り方向に回転させながら回転軸３５に係合する。
【００３７】
補助排出トレイ２５を手動で開放する場合は、図３の状態から補助排出トレイ２５に開放方向の力を加えると、フック部材３３が捩りバネ３４の付勢力に抗して偏芯カム３７を乗り越えて反時計回り方向に回動し、図５のように回転軸３５との係合が解除される。
【００３８】
その他本発明は、上記実施形態に限定されず、本発明の趣旨を逸脱しない範囲で種々の変更が可能である。例えば、上記実施形態ではフック部材３３が排出ローラー１９ａの回転軸３５に係合し、回転軸３５に固定された偏芯カム３７によってフック部材３３と回転軸３５との係合が解除される構成としたが、フック部材３３が排出コロ１９ｂの回転軸に係合し、排出コロ１９ｂの回転軸に固定された偏芯カム３７によってフック部材３３と回転軸との係合が解除される構成としてもよい。また、偏芯カム３７に代えて回転軸３５の外周面の一部から径方向に突出する突起形状を回転軸３５に一体形成してもよい。
【００３９】
また、上記実施形態では画像が形成された用紙Ｓを積載する補助排出トレイ２５を備えた用紙排出装置３０について説明したが、本発明は、原稿搬送装置３により画像読取部８に搬送され、原稿画像の読み取りが行われた後の原稿を排出するための原稿排出トレイ、或いは画像形成後の用紙にパンチ穴形成処理や綴じ処理を行う用紙後処理装置に設けられる用紙排出トレイ等の、装置本体の側面に対して開閉可能な排出トレイを備えた用紙排出装置であれば全く同様に適用可能である。
【産業上の利用可能性】
【００４０】
本発明は、装置本体の側面に開閉可能に搭載され、排出されたシートを保持するシート排出トレイを備えたシート排出装置に利用可能である。本発明の利用により、シート排出トレイが閉鎖位置にある状態でシート排出トレイへの排出を行うジョブが入力された場合にシート排出トレイを自動的に開放可能なシート排出装置及びそれを備えた画像形成装置を提供することができる。
【符号の説明】
【００４１】
６            画像形成部
１９          第２排出ローラー対（排出ローラー対）
１９ａ        排出ローラー
１９ｂ        排出コロ
２０          本体ハウジング（装置本体）
２４          用紙排出トレイ
２５          補助排出トレイ（シート排出トレイ）
２５ａ        支軸（支点部）
３０          用紙排出装置
３１          軸受部
３１ａ        軸受孔
３３          フック部材
３３ａ        揺動軸
３５          回転軸（排出ローラー）
３７          偏芯カム（係合解除部材）
３９          圧縮バネ（ダンパー部材）
４０          バネ受け部
４１          押圧ピン（押圧突起）
１００        画像形成装置
Ｓ            用紙（シート）
【図１】
2018150151.tif 000003
【図２】
2018150151.tif 000004
【図３】
2018150151.tif 000005
【図４】
2018150151.tif 000006
【図５】
2018150151.tif 000007
【図６】
2018150151.tif 000008
【図７】
2018150151.tif 000009
【図８】
2018150151.tif 000010
【図９】
2018150151.tif 000011